(57)【要約】【課題】表示器の取付け角度を調整することができる表示装置を提供する。【解決手段】保持部材２０は、表示器１０を保持する。支持部材３０は、保持部材２０を支持する。保持部材２０は、選択的に前面側及び後面側の一方で表示器１０を保持可能であり、表示器１０の保持角度を所定範囲内で調整する角度調整部２１ｅ，２１ｆを有する。角度調整部は、保持部材２０を支持部材３０に固定する固定部材６０が貫通する円弧形状の孔部である。保持部材２０は、角度調整可能な状態で支持部材３０，７０に支持されている。【選択図】  図１
2005017798.tif 000002
【特許請求の範囲】
【請求項１】
表示器と、前記表示器を保持する保持部材と、前記保持部材を支持する支持部材と、を有する表示装置であって、
前記保持部材は、選択的に前面側及び後面側の一方で前記表示器を保持可能であり、前記表示器の保持角度を所定範囲内で調整する角度調整部を有することを特徴とする表示装置。
【請求項２】
前記角度調整部は、前記保持部材を前記支持部材に固定する固定部材が貫通する円弧形状の孔部であることを特徴とする請求項１に記載の表示装置。
【請求項３】
前記支持部材は、前記表示器の配線コードを固定するクランプ部を有することを特徴とする請求項１に記載の表示装置。
【請求項４】
前記保持部材は、角度調整可能な状態で前記支持部材に支持されていることを特徴とする請求項１に記載の表示装置。
【発明の詳細な説明】
【０００１】
【発明の属する技術分野】
本発明は、表示装置に関するものであり、特に、傾斜した場所に所望の角度で表示器を取付ける表示装置に関するものである。
【０００２】
【従来の技術】
従来より、ヘッドアップディスプレイ装置が種々提案されており、例えば特許文献１に開示されている。斯かるヘッドアップディスプレイ装置は、車両のダッシュボード１に取付けられた表示器２が発した表示光Ｌを、車両のフロントガラス３（または、コンバイナと称される反射部材）で反射させ、虚像Ｖを表示するものである（図９参照）。運転者４は、虚像Ｖを前方の風景と重畳させて視認することができる。
【０００３】
【特許文献１】
特開平１０−９０１０１号公報
【０００４】
【発明が解決しようとする課題】
しかしながら、ダッシュボード１の表面形状は車種によって様々であり、そのために運転者４の前方付近に位置するダッシュボード１の表面形状が表示器２の取付けに適していない場合がある。つまり、運転者４の前方に位置するダッシュボード１の表面形状が平坦でない場合、虚像Ｖが傾いた状態で表示されるという問題を有していた。
本発明は、この問題に鑑みなされたものであり、表示器の取付け角度を調整することができる表示装置を提供するものである。
【０００５】
【課題を解決するための手段】
本発明は、前記課題を解決するため、請求項１に記載したように、表示器１０と、前記表示器１０を保持する保持部材２０と、前記保持部材２０を支持する支持部材３０，７０と、を有する表示装置であって、前記保持部材２０は、選択的に前面側及び後面側の一方で前記表示器１０を保持可能であり、前記表示器１０の保持角度を所定範囲内で調整する角度調整部２１ｅ，２１ｆを有するものである。
【０００６】
また、本発明は、請求項２に記載したように、前記角度調整部は、前記保持部材２０を前記支持部材３０，７０に固定する固定部材６０が貫通する円弧形状の孔部２１ｅ，２１ｆであるものである。
【０００７】
また、本発明は、請求項３に記載したように、前記支持部材７０は、前記表示器１０の配線コード１０ｃを固定するクランプ部７１ａ，７１ｂ，７１ｃを有するものである。
【０００８】
また、本発明は、請求項４に記載したように、前記保持部材２０は、角度調整可能な状態で前記支持部材３０，７０に支持されているものである。
【０００９】
【発明の実施の形態】
以下、添付の図面に基づいて、本発明の実施形態を説明する。図１乃至図６は、第一実施形態を示すものである。なお、表示器１０は、車両のフロントガラスに表示光を投射するため、表示器１０を寝かせて前面１０ａを略真上に向けて配設されるものであるが、理解を助けるため、図２，図４及び図５においては、表示器１０を起こして前面１０ａが前方を向いた状態にて図示している。
【００１０】
表示装置は、表示器１０，保持部材２０，支持部材３０，ボルト４０及びナット５０等から構成されている。表示器１０は、蛍光表示管または有機ＥＬパネル等の表示素子をケース体に収容したものであり、保持部材２０の基部２１に保持されている。表示器１０が発した表示光は、車両のフロントガラスに投射され、虚像が表示される。
【００１１】
保持部材２０は、基部２１及びこの基部２１に一体形成された連結部２２，２３，２４からなっている。基部２１の前面側には、円形状のリブ部２１ａと、直線形状のリブ部２１ｃとが形成されている（図３（ａ）参照）。保持部材２０は、前後方向に対称な形状になっており、基部２１の後面側には、前面側と同様に、円形状のリブ部２１ｂと、直線形状のリブ部２１ｄとが形成されている（図３（ｂ）参照）。
【００１２】
直線形状のリブ部２１ｃ，２１ｄは、円形状のリブ部２１ａ，２１ｂの直径に相当する箇所に形成されており、斜め４５°の角度で設けられている。円形状のリブ部２１ａ，２１ｂは、直線形状のリブ部２１ｃ，２１ｄよりも若干高くなっている。保持部材２０の基部２１には、所定幅を有する円弧状の２個の孔部２１ｅ，２１ｆ（角度調整部）が形成されている。孔部２１ｅ，２１ｆの前記所定幅は、表示器１０を保持部材２０に保持させるためのボルト６０（固定部材）のネジ部の直径に略等しくなっている。孔部２１ｅ，２１ｆは、直線形状のリブ部２１ｃ，２１ｄに対して対称な位置に形成されている。表示器１０は、座金６１を介して、ボルト６０によって保持されている。
【００１３】
連結部２２，２４は、基部２１に連なる弾性片２２ａ，２４ａと、この弾性片２２ａ，２４ａの端部に連なる円筒部２２ｂ，２４ｂとを有している。連結部２２，２４の円筒部２２ｂ，２４ｂには、ボルト４０が挿通される貫通孔２２ｃ，２４ｃが夫々形成されている。連結部２３は、連結部２２と連結部２４の間に設けられており、ボルト４０が挿通される貫通孔２３ａが形成されている。
【００１４】
支持部材３０は、薄い金属板からなるものであり、台座部３１及びこの台座部３１から垂直に立設された２個の支持部３２，３３を有している。台座部３１は、両面粘着テープによって、車両のダッシュボードに接着される。支持部３２，３３には、ボルト４０が貫通する孔部３２ａ，３３ａが夫々形成されている。
【００１５】
ボルト４０は、頭部４１及びネジ部４２を有しており、頭部４１には六角形形状の穴部４１ａが設けられている。ボルト４０は、連結部２２，２３，２４の貫通孔２２ｃ，２３ａ，２４ｃに挿通され、ネジ部４２の端部にナット５０が螺着される。支持部材３０は、ボルト４０及びナット５０によって、保持部材２０の連結部２２，２３，２４に連結される。表示器１０を保持した保持部材２０は、前後方向に回動可能な状態で支持されるが、ボルト４０及びナット５０を硬く締め付けることにより、所望の角度で固定することもできる（図２参照）。
【００１６】
保持部材２０は、選択的に前面側及び後面側の一方で表示器１０を保持することができる。
保持部材２０の前面側で表示器１０を保持する場合は、基部２１の円形状のリブ部２１ａが表示器１０の後面１０ｂに当接する（図４参照）。この場合、支持部材３０の支持部３２は、保持部材２０の連結部２２と連結部２３の間に挿入され、支持部３３は、連結部２３と連結部２４の間に挿入される。表示器１０は左に０°〜９０°の範囲で角度調整が可能である。
【００１７】
保持部材２０の後側で表示器１０を保持する場合は、基部２１の円形状のリブ部２１ｂが表示器１０の後面１０ｂに当接する（図５参照）。この場合、支持部材３０の支持部３２は、保持部材２０の連結部２４と連結部２３の間に挿入され、支持部３３は、連結部２３と連結部２２の間に挿入される。表示器１０は右に０°〜９０°の範囲で角度調整が可能である。
【００１８】
なお、図６に示すように、表示器１０を上下反転させ、保持部材２０に下向きに保持することも可能である。従って、表示装置の使用者は、表示器を保持部材２０の前面側で保持するか、後面側で保持するか、表示器１０を上向きに保持するか、下向きに保持するか、４通りの保持状態から選ぶことができ、夫々の保持状態では９０°の角度調整ができるので、表示器１０を所望の角度（０°〜３６０°）で保持部材２０に装着することができる。
【００１９】
図７及び図８は、第二実施形態を示すものである。第二実施形態は、支持部材７０だけが第一実施例と異なり、他の構成は第一実施形態と同様であるので、同一の箇所には同一の符号を付し、詳細な説明を省略する。
【００２０】
支持部材７０は、薄板状の台座部７１及びこの台座部７１から垂直に立設された２個の支持部７２，７３を有している。支持部材７０は、台座部７１を切り欠いて形成したクランプ部７１ａ，７１ｂ，７１ｃを有している（図７参照）。支持部材７０のクランプ部７１ａ，７１ｂ，７１ｃには、表示器１０の配線コード１０ｃをクランプすることができる（図８参照）。
【００２１】
第二実施形態によれば、表示器１０の配線コード１０ｃを支持部材７０にクランプすることができ、車両のダッシュボード上に配線コード１０ｃを整然と配置することができる。
【００２２】
【発明の効果】
本発明は、表示器と、前記表示器を保持する保持部材と、前記保持部材を支持する支持部材と、を有する表示装置であって、前記保持部材は、選択的に前面側及び後面側の一方で前記表示器を保持可能であり、前記表示器の保持角度を所定範囲内で調整する角度調整部を有するものであり、表示器の取付け角度を自在に調整することができる。
【図面の簡単な説明】
【図１】本発明の第一実施形態を示す後面図。
【図２】同上実施形態を示す側面図。
【図３】同上実施形態を示す保持部材の正面図及び後面図。
【図４】同上実施形態を示す角度調整の説明図。
【図５】同上実施形態を示す角度調整の説明図。
【図６】同上実施形態を示す他の保持状態の説明図。
【図７】本発明の第二実施形態を示す支持部材の上面図。
【図８】同上実施形態を示す後面図。
【図９】従来例を示すヘッドアップディスプレイの概略構成図。
【符号の説明】
１０    表示器
１０ｃ  配線コード
２０    保持部材
２１ｅ  孔部（角度調整部）
２１ｆ  孔部（角度調整部）
３０    支持部材
６０    ボルト（固定部材）
７０    支持部材
７１ａ  クランプ部
７１ｂ  クランプ部
７１ｃ  クランプ部
【図１】
2005017798.tif 000003
【図２】
2005017798.tif 000004
【図３】
2005017798.tif 000005
【図４】
2005017798.tif 000006
【図５】
2005017798.tif 000007
【図６】
2005017798.tif 000008
【図７】
2005017798.tif 000009
【図８】
2005017798.tif 000010
【図９】
2005017798.tif 000011